(57)【要約】【課題】  シンクライアントから入力された操作内容が誤っているかを見出し易くするとともに、誤りやすい操作内容について、確認することができるシステムを提供する。【解決手段】  キー／マウス情報からなる処理要求をそれぞれ行う複数のシンクライアント１と、ネットワーク３を介して接続した複数のシンクライアント１の処理要求を受信し実行するセンタ側装置２とを備える複数シンクライアント処理実行システムであって、センタ側装置２は、シンクライアント差分情報を有するとともに、受信した複数のシンクライアントからのキー／マウス情報を、シンクライアント差分情報を使用して比較し、一致したシンクライアント１の処理要求を実行する。【選択図】      図１
2006209607.tif 000002
【特許請求の範囲】
【請求項１】
キー／マウス情報からなる処理要求をそれぞれ行う複数のシンクライアントと、ネットワークを介して接続した複数のシンクライアントの処理要求を受信し実行するセンタ側装置とを備える複数シンクライアント処理実行システムであって、
前記センタ側装置は、シンクライアント差分情報を有するとともに、受信した複数のシンクライアントからのキー／マウス情報を、前記シンクライアント差分情報を使用して比較し、一致したシンクライアントの処理要求を実行することを特徴とする複数シンクライアント処理実行システム。
【請求項２】
請求項１記載の複数シンクライアント処理実行システムにおいて、
前記センタ側装置は、サーバとパソコンとを有し、前記サーバは、受信した複数のシンクライアントの処理要求が一致したときに、一致処理要求を作成し、前記パソコンは、前記一致処理要求に応じて実行するアプリケーションを有することを特徴とする複数シンクライアント処理実行システム。
【請求項３】
請求項１記載の複数シンクライアント処理実行システムにおいて、
前記センタ側装置は、サーバを有し、該サーバは、受信した複数のシンクライアントの処理要求が一致したときに、前記処理要求に応じて実行するアプリケーションを有することを特徴とする複数シンクライアント処理実行システム。
【請求項４】
請求項２又は３に記載の複数シンクライアント処理実行システムにおいて、
前記サーバは、入力ミス情報を有しており、受信した複数のキー／マウス情報を前記入力ミス情報と比較して一致すると、該当するシンクライアントに入力ミス可能性の警告を送信することを特徴とする複数シンクライアント処理実行システム。
【請求項５】
請求項４記載の複数シンクライアント処理実行システムにおいて、
前記サーバは、受信した複数の処理要求が一致しないと、受信したキー／マウス情報を入力ミス情報として記憶することを特徴とする複数シンクライアント処理実行システム。
【発明の詳細な説明】
【技術分野】
【０００１】
本発明は、複数シンクライアント処理実行システムであり、特に複数のシンクライアントを使用するシステムにおいて、シンクライアントにおける操作ミス防止のために、操作の２重入力や認証を行う方法に関する。
【背景技術】
【０００２】
コマンドを利用してクリティカルな設定を顧客装置に行う際、熟練していない作業者が一人で設定を行うと、スペルのミスや操作ミスで顧客装置に障害を起こす可能性がある。これを防ぐために熟練していない作業者に加えて熟練した作業者が同じ操作を行った場合のみ、設定を実行することができるようにすることで誤操作を削減することができる。
【０００３】
シンクライアントを使用したシステムが知られている。シンクライアントは、アプリケーションを搭載せず、マウスクリック、キーストローク、画面推移の情報だけがネットワークを介してやり取りを行う機器である。
【０００４】
複数の端末から同一の処理内容が入力された場合に、入力された処理内容を実行することが提案されている（特許文献１参照）。しかしながら、同一の誤った操作内容が入力されると、正しいものとして扱われてしまうという問題があった。
【特許文献１】特開平８−５５０３９号公報
【発明の開示】
【発明が解決しようとする課題】
【０００５】
本発明は、従来の問題を解決するものであり、シンクライアントから入力された操作内容が誤っているかを見出し易くするとともに、誤りやすい操作内容について、確認することができるシステムを提供することを目的とする。
【課題を解決するための手段】
【０００６】
本発明は、キー／マウス情報からなる処理要求をそれぞれ行う複数のシンクライアントと、ネットワークを介して接続した複数のシンクライアントの処理要求を受信し実行するセンタ側装置とを備える複数シンクライアント処理実行システムであって、前記センタ側装置は、シンクライアント差分情報を有するとともに、受信した複数のシンクライアントからのキー／マウス情報を、前記シンクライアント差分情報を使用して比較し、一致したシンクライアントの処理要求を実行する複数シンクライアント処理実行システムである。
【０００７】
また、本発明は、前記センタ側装置は、サーバとパソコンとを有し、前記サーバは、受信した複数のシンクライアントの処理要求が一致したときに、一致処理要求を作成し、前記パソコンは、前記一致処理要求に応じて実行するアプリケーションを有する複数シンクライアント処理実行システムである。
【０００８】
そして、本発明は、前記センタ側装置は、サーバを有し、該サーバは、受信した複数のシンクライアントの処理要求が一致したときに、前記処理要求に応じて実行するアプリケーションを有する複数シンクライアント処理実行システムである。
【０００９】
そして、本発明は、前記サーバは、入力ミス情報を有しており、受信した複数のキー／マウス情報を前記入力ミス情報と比較して一致すると、該当するシンクライアントに入力ミス可能性の警告を送信する複数シンクライアント処理実行システムである。
【００１０】
更に、本発明は、前記サーバは、受信した複数の処理要求が一致しないと、受信したキー／マウス情報を入力ミス情報として記憶する複数シンクライアント処理実行システムである。
【発明の効果】
【００１１】
本発明によれば、シンクライアントから入力された操作内容が誤っているかを見出し易くするとともに、誤りやすい操作内容について、確認することができるシステムを得ることができる。
【発明を実施するための最良の形態】
【００１２】
本発明を実施するための最良の形態を説明する。
本発明の複数シンクライアント処理実行システムの一実施例について、図面を用いて説明する。
【実施例】
【００１３】
実施例を説明する。本実施例の複数シンクライアント処理実行システムは、図１に示すように、複数のシンクライアント１ａ、１ｂと、センタ側装置とからなる。センタ側装置は、サーバ２１と、ＤＢ（データベース）機器２２と、ＰＣ（パソコン）２３とからなる。サーバ２１は、ネットワーク３を介して複数のシンクライアント１ａ、１ｂと接続されている。ＤＢ機器２２は、シンクライアント差分情報及び入力ミス情報を格納する。シンクライアント差分情報は、短縮コマンドと通常のコマンドとを対応させる情報、順不同コマンドの情報などである。ＰＣ２３は、シンクライアントの処理要求を実行するアプリケーションを有する。複数のシンクライアント１ａ、１ｂが操作されると、キー／マウス情報からなる操作コマンド（処理要求）がセンタ側装置に送信され、センタ側ＰＣ２３が有するアプリケーションを実行させる。複数のシンクライアント１ａ、１ｂは、それぞれ作業者と熟練作業者が使用する。
【００１４】
サーバ２１は、シンクライアント１ａ、１ｂがそれぞれ送信した操作コマンドが一致するか判断し、一致した操作コマンドを一致処理要求としてＰＣ２３に送信する。サーバ２１は、一致するか判断する際に、操作コマンドが短縮コマンドであると、シンクライアント差分情報を使用し、対応する通常コマンドに変換する。順不同コマンドに対しては、順番を変更して一致するかを判断する。一致していても、入力ミスコマンド例の情報に該当するか判定し、該当しないときに一致操作コマンド（一致処理要求）としてＰＣ２３に送信する。入力ミスコマンド例の情報に該当するときは、シンクライアント１ａ、１ｂに入力ミスの可能性を警告する。サーバ２１は、比較した操作コマンドが一致しないとシンクライアント１ａ、１ｂに警告を送信する。
【００１５】
実施例の複数シンクライアント処理実行システムにおける処理の一例について、図２を用いて説明する。まず、スタートする（Ｓ１００）。次に、作業者は、シンクライアント１ａを使用し、操作コマンドを入力する（Ｓ１０１）。熟練作業者は、シンクライアント１ｂを使用し、操作コマンドを入力する（Ｓ１０２）。サーバ２１は、受信した入力コマンドの内容が一致しているか判断し（Ｓ１０３）、一致しないと、異なる入力個所を強調して表示させ（Ｓ１１１）、アプリケーションの実行を中断させ（Ｓ１１２）、入力コマンドを一時保存し（Ｓ１１３）、ステップＳ１０１に戻る。ステップＳ１０３で一致していると、過去の入力ミス例に一致したものがあるか判断し（Ｓ１２１）、一致したものがあると、入力ミスの可能性を警告し（Ｓ１３１）、入力内容を実行するか判断し（Ｓ１３２）、実行しないとステップＳ１０１に戻る。ステップＳ１２１で一致したものがないとき及びステップＳ１３２で実行するとき、アプリケーションを実行させる（Ｓ１４１）。次に、一時保存された入力コマンドがあるか判断し（Ｓ１４２）、ないときは終了となる（Ｓ１６１）。ステップＳ１４２であるときは一時保存されたコマンドの数だけ繰り返し（Ｓ１５１〜１５４）、成功したコマンドと一時保存されたコマンドが同じか判断し（Ｓ１５２）、同じでないときのみ一時保存されたコマンドを入力ミスとして保存（Ｓ１５３）し、終了となる（Ｓ１６１）。このようにして、実施例の複数シンクライアント処理実行システムにおける処理が行われる。
【００１６】
以上実施例で説明したが、本発明の特徴は、以下の通りである。
（１）異なる使用者からのコマンド操作を受取り、コマンド内容を比較し、コマンド内容が一致すれば、アプリケーションにコマンド操作を転送し、アプリケーションを実行する。
（２）センタ側から送信される画面の差分情報と、シンクライアントから送信されるマウス情報を組合わせて操作内容の比較を行う。
（３）短縮コマンドなどについては予め登録しておき、短縮コマンドと通常のコマンドが比較されたばあいでも、正しいと判断する。また、アプリケーション実行にあたってコマンドが順不同のものも予め登録された情報を基に判断する。
（４）コマンド内容を比較し、入力内容が異なる個所の文字の色を変えるなどして、異なる個所を目立たせて返信することができる。先に入力を完了した使用者のコマンドと後から入力を行っている使用者のコマンドが異なる場合、入力を受け付けないようにすることもできる。
（５）コマンド内容を比較する際、一致しなかったコマンド内容を保存し、後で入力ミスの例として参照することができるようにする。コマンド内容が一致した場合でも、過去の入力ミス例と一致した場合は使用者に警告を出し、コマンド実行の確認を取る。
（６）複数の使用者がセンタ側ＰＣのパスワードを入力しないとセンタ側ＰＣを実行できないようにすることもできる。
【図面の簡単な説明】
【００１７】
【図１】実施例の複数シンクライアント処理実行システムの説明図。
【図２】実施例の複数シンクライアント処理実行システムにおける処理の一例のフローの説明図。
【符号の説明】
【００１８】
１ａ、１ｂ  シンクライアント
２１  サーバ
２２  デーベース
２３  ＰＣ
３  ネットワーク
【図１】
2006209607.tif 000003
【図２】
2006209607.tif 000004